(57)【要約】【課題】  録画予約したり視聴予約したりすることができる放送番組につき、その予約をユーザに、より確実に行わせることが可能な放送受信装置及び放送受信方法を提供する。【解決手段】  放送受信装置は、放送コンテンツと、各放送番組の番組情報とを受信するとともに、放送コンテンツが録画予約された放送番組を予約済み番組として指定する番組予約情報に基づいて、その予約済み番組につき放送コンテンツの録画を行う。本放送受信装置のシステムコントローラは、録画予約入力処理を実行することにより、番組情報及び番組予約情報から、現時点より将来に放送される放送番組であって一の予約済み番組と重ならない時間がある放送番組を、予約可能番組として特定する（Ｓ３、Ｓ４）。【選択図】図５
2008236478.tif 000002
【特許請求の範囲】
【請求項１】
放送コンテンツと、各放送番組の番組情報とを受信するとともに、
放送コンテンツの記録又は再生が予約された放送番組を予約済み番組として指定する番組予約情報に基づいて、該予約済み番組につき放送コンテンツの記録又は再生を行う放送受信装置であって、
前記番組情報及び前記番組予約情報から、現時点より将来に放送される放送番組であって一の予約済み番組と重ならない時間がある放送番組を、予約可能番組として特定する予約可能番組特定手段
を備えたことを特徴とする放送受信装置。
【請求項２】
ユーザが所望の予約期間を入力するための予約期間入力手段をさらに備え、
前記予約可能番組特定手段は、
前記予約期間入力手段により入力された前記予約期間の内において、前記予約可能番組を特定することを特徴とする請求項１に記載の放送受信装置。
【請求項３】
前記番組情報は、
各放送番組についての放送局、放送日、開始時刻及び終了時刻を表す放送日時データ、及び、該放送番組を案内する番組案内データを含むものであり、
前記予約可能番組特定手段により特定された前記予約可能番組につき、前記番組案内データの少なくとも一部を含む前記番組情報を表示する予約可能番組表示手段をさらに備えたことを特徴とする請求項１又は請求項２に記載の放送受信装置。
【請求項４】
前記予約可能番組表示手段は、
放送局を一の項目、時間帯を他の項目として各放送局及び各時間帯に対応する各欄に各放送番組の前記番組案内データを表示するための番組表上で、前記予約済み番組の番組案内データ、及び、前記予約可能番組特定手段により特定された前記予約可能番組の番組案内データを表示することを特徴とする請求項３に記載の放送受信装置。
【請求項５】
前記番組予約情報は、
前記予約済み番組についての前記放送日時データを含むものであり、
前記予約可能番組特定手段は、
前記番組予約情報中の前記予約済み番組の放送日時データに基づいて、現時点より将来の時間であって一の予約済み番組と重ならない時間を、空き時間として特定するとともに、前記番組情報中の各放送番組の放送日時データに基づいて、該空き時間内の放送番組を、前記予約可能番組の内の第１予約可能番組として特定し、
前記予約可能番組表示手段は、
前記番組表上にて、前記予約済み番組の番組案内データとは異なる形態で、前記予約可能番組特定手段により特定された前記第１予約可能番組の番組案内データを表示することを特徴とする請求項４に記載の放送受信装置。
【請求項６】
複数の前記予約済み番組、及び、前記予約可能番組特定手段により特定された複数の前記第１予約可能番組が、それぞれ、前記予約可能番組表示手段により前記番組表中でまとまった位置に表示されるように、放送局の表示順序を設定する表示位置設定手段をさらに備えたことを特徴とする請求項５に記載の放送受信装置。
【請求項７】
前記予約可能番組特定手段は、
前記空き時間の開始側を所定の第１重なり許容時間分だけ早めた開始時刻、及び、該空き時間の終了側を所定の第２重なり許容時間分だけ遅らせた終了時間の少なくともいずれかを有する時間を、重なり許容空き時間として特定するとともに、前記番組情報中の各放送番組の前記放送日時データに基づいて、該重なり許容空き時間内の放送番組を、前記予約可能番組の内の第２予約可能番組として特定し、
前記予約可能番組表示手段は、
前記番組表上にて、前記予約済み番組の番組案内データ、及び、前記予約可能番組特定手段により特定された前記第１予約可能番組の番組案内データとは異なる形態で、該予約可能番組特定手段により特定された前記第２予約可能番組の番組案内データを表示することを特徴とする請求項５又は請求項６に記載の放送受信装置。
【請求項８】
前記表示位置設定手段は、
複数の前記予約済み番組、並びに、前記予約可能番組特定手段により特定された複数の前記第１予約可能番組及び前記第２予約可能番組が、それぞれ、前記予約可能番組表示手段により前記番組表中でまとまった位置に表示されるように、放送局の表示順序を設定することを特徴とする請求項７に記載の放送受信装置。
【請求項９】
前記予約可能番組表示手段は、
前記予約可能番組特定手段により特定された１つの前記予約可能番組についての、前記番組案内データの少なくとも一部を含む前記番組情報を、１つのライン上に表示することを特徴とする請求項３に記載の放送受信装置。
【請求項１０】
前記番組予約情報を記憶する番組予約情報記憶手段と、
前記予約可能番組表示手段により前記番組情報が表示されている前記予約可能番組に対して、ユーザが記録又は再生の予約を指示するための予約指示手段と、
前記予約指示手段により予約が指示された前記予約可能番組が前記予約済み番組として設定されるように、前記番組予約情報記憶手段により記憶されている前記番組予約情報を更新する番組予約情報更新手段とをさらに備えたことを特徴とする請求項３乃至請求項９のいずれかに記載の放送受信装置。
【請求項１１】
放送コンテンツと、各放送番組の番組情報とを受信するとともに、
放送コンテンツの記録又は再生が予約された放送番組を予約済み番組として指定する番組予約情報に基づいて、該予約済み番組につき放送コンテンツの記録又は再生を行うための放送受信方法であって、
前記番組情報及び前記番組予約情報から、現時点より将来に放送される放送番組であって一の予約済み番組と重ならない時間がある放送番組を、予約可能番組として特定する予約可能番組特定ステップと、
特定された前記予約可能番組につき前記番組情報を表示する予約可能番組表示ステップと
を備えたことを特徴とする放送受信方法。
【発明の詳細な説明】
【技術分野】
【０００１】
本発明は、放送コンテンツと、各放送番組の番組情報とを受信するとともに、放送コンテンツの記録又は再生が予約された放送番組を予約済み番組として指定する番組予約情報に基づいて、予約済み番組につきその放送コンテンツの記録又は再生を行うための放送受信装置及び放送受信方法に関する。ここで、放送コンテンツは映像、音声及び文字データの少なくとも１つからなり、また、番組情報は、放送局、放送日、開始時刻及び終了時刻を表す放送日時データ、並びに、例えば放送番組名、テーマ、出演者、番組内容の要約などの放送番組を案内する番組案内データを含んでいる。
【背景技術】
【０００２】
従来から知られたこの種の放送受信装置の一つは、１つの放送局（放送チャンネル）についての番組表上において、ユーザが録画予約した放送番組である予約済み番組を表示可能なようになっている。ここで用いられる番組表は、日付を横に並ぶ一の項目、時間帯を縦に並ぶ他の項目として、各日付及び各時間帯に対応する各欄に放送番組を表すものである（特許文献１参照）。また、他の放送受信装置の一つは、放送局ごとの録画予約状況を、時刻軸に沿って横方向に延びるバー表示を用いて棒グラフ状に表示するものであり、加えて、現時点において録画が可能な場合にはこの録画予約状況の表示の上にマーキングを表示可能なようになっている（特許文献２参照）。
【０００３】
【特許文献１】特開２００６−１４０４３号公報（図２）
【特許文献２】特開２００４−２２８８４９号公報（図１、段落００９２等）
【発明の開示】
【発明が解決しようとする課題】
【０００４】
しかしながら、従来の上記２つの放送受信装置では、いずれにおいても、現時点より後の将来に放送されるある放送番組を録画予約することができるか否かにつきユーザは判断し難い。その結果、録画予約可能な放送番組をユーザが見落としてしまうことがある。
【０００５】
本発明の目的の一つは、録画予約したり視聴予約したりすることができる放送番組につき、その予約をユーザに、より確実に行わせることが可能な放送受信装置及び放送受信方法を提供することである。
【課題を解決するための手段】
【０００６】
本発明に係る放送受信装置は、放送コンテンツと、各放送番組の番組情報とを受信するとともに、放送コンテンツの記録又は再生が予約された放送番組を予約済み番組として指定する番組予約情報に基づいて、その予約済み番組につき放送コンテンツの記録又は再生を行う。本放送受信装置は、予約可能番組特定手段を備えたことを特徴とする。この予約可能番組特定手段は、番組情報及び番組予約情報から、現時点より将来に放送される放送番組であって一の予約済み番組と重ならない時間がある放送番組を、予約可能番組として特定する。
この放送受信装置において、ユーザが所望の予約期間を入力するための予約期間入力手段をさらに備え、上記予約可能番組特定手段は、予約期間入力手段により入力された予約期間の内において、予約可能番組を特定するものとしてよい。
（１）これらの放送受信装置において、番組情報を次のものとし、予約可能番組表示手段をさらに備えていてよい。すなわち、番組情報は、各放送番組についての放送局、放送日、開始時刻及び終了時刻を表す放送日時データ、及び、放送番組を案内する番組案内データを含むものである。予約可能番組表示手段は、予約可能番組特定手段により特定された予約可能番組につき、番組案内データの少なくとも一部を含む番組情報を表示する。
（２）この（１）の放送受信装置にあっては、予約可能番組表示手段は、番組表上で、予約済み番組の番組案内データ、及び、予約可能番組特定手段により特定された予約可能番組の番組案内データを表示してもよい。この番組表は、放送局を一の項目、時間帯を他の項目として各放送局及び各時間帯に対応する各欄に各放送番組の番組案内データを表示するようになっている。
（３）加えて、（２）の放送受信装置において、番組予約情報を次のものとし、上記予約可能番組特定手段及び上記予約可能番組表示手段を次のように構成してよい。すなわち、番組予約情報は、予約済み番組についての放送日時データを含むものである。予約可能番組特定手段は、番組予約情報中の予約済み番組の放送日時データに基づいて、現時点より将来の時間であって一の予約済み番組と重ならない時間を、空き時間として特定する。これとともに、予約可能番組特定手段は、番組情報中の各放送番組の放送日時データに基づいて、空き時間内の放送番組を、予約可能番組の内の第１予約可能番組として特定する。予約可能番組表示手段は、番組表上にて、予約済み番組の番組案内データとは異なる形態で、予約可能番組特定手段により特定された第１予約可能番組の番組案内データを表示する。
この放送受信装置では、表示位置設定手段をさらに備えていてよい。この表示位置設定手段は、複数の予約済み番組、及び、予約可能番組特定手段により特定された複数の第１予約可能番組が、それぞれ、予約可能番組表示手段により番組表中でまとまった位置に表示されるように、放送局の表示順序を設定する。
（４）（３）の放送受信装置にあっては、上記予約可能番組特定手段及び上記予約可能番組表示手段を次のように構成してよい。すなわち、予約可能番組特定手段は、空き時間の開始側を所定の第１重なり許容時間分だけ早めた開始時刻、及び、空き時間の終了側を所定の第２重なり許容時間分だけ遅らせた終了時間の少なくともいずれかを有する時間を、重なり許容空き時間として特定する。これとともに、予約可能番組特定手段は、番組情報中の各放送番組の放送日時データに基づいて、重なり許容空き時間内の放送番組を、予約可能番組の内の第２予約可能番組として特定する。予約可能番組表示手段は、番組表上にて、予約済み番組の番組案内データ、及び、予約可能番組特定手段により特定された第１予約可能番組の番組案内データとは異なる形態で、予約可能番組特定手段により特定された第２予約可能番組の番組案内データを表示する。
この放送受信装置では、上記表示位置設定手段を次のように構成してよい。すなわち、表示位置設定手段は、複数の予約済み番組、並びに、予約可能番組特定手段により特定された複数の第１予約可能番組及び第２予約可能番組が、それぞれ、予約可能番組表示手段により番組表中でまとまった位置に表示されるように、放送局の表示順序を設定する。
（５）（１）に示す放送受信装置において、上記予約可能番組表示手段は、予約可能番組特定手段により特定された１つの予約可能番組についての、番組案内データの少なくとも一部を含む番組情報を、１つのライン上に表示するものとしてもよい。
（６）これら（１）〜（５）の放送受信装置において、番組予約情報記憶手段と、予約指示手段と、番組予約情報更新手段とをさらに備えていてよい。番組予約情報記憶手段は、番組予約情報を記憶する。予約指示手段は、予約可能番組表示手段により番組情報が表示されている予約可能番組に対して、ユーザが記録又は再生の予約を指示するためのものである。番組予約情報更新手段は、予約指示手段により予約が指示された予約可能番組が予約済み番組として設定されるように、番組予約情報記憶手段により記憶されている番組予約情報を更新する。
また、本発明に係る放送受信方法は、放送コンテンツと、各放送番組の番組情報とを受信するとともに、放送コンテンツの記録又は再生が予約された放送番組を予約済み番組として指定する番組予約情報に基づいて、予約済み番組につき放送コンテンツの記録又は再生を行うためのものである。本放送受信方法は、予約可能番組特定ステップと、予約可能番組表示ステップとを備えたことを特徴とする。予約可能番組特定ステップにて、番組情報及び番組予約情報から、現時点より将来に放送される放送番組であって一の予約済み番組と重ならない時間がある放送番組が、予約可能番組として特定される。予約可能番組表示ステップにて、この特定された予約可能番組につき番組情報が表示される。
【発明の効果】
【０００７】
本発明によれば、現時点より将来に放送される放送番組であって一の予約済み番組と重ならない時間がある放送番組が、記録又は再生についての予約可能番組として特定される。このため、その特定された予約可能番組に対して、例えば、自動的に予約を設定したりまたユーザに予約の設定を促す表示を行ったりすることにより、ユーザに、より確実に予約を行わせることができる。
【発明を実施するための最良の形態】
【０００８】
以下、本発明を実施するための最良の実施の形態を、図面を参照しつつ説明する。
（第１の実施の形態）
図１は本発明に係る第１の実施の形態である放送受信装置（セットトップボックス）の主要な構成を模式的に示すブロック図である。この放送受信装置１は、放送コンテンツと、番組情報とを各放送局から受信する。ここでは、放送コンテンツは映像及び音声からなり、また、番組情報はＥＰＧと呼ばれる番組表を生成するためのデータである。この番組情報には、各放送番組について放送局、放送日、開始時刻及び終了時刻を表すデータ（以下、放送日時データという）と、例えば放送番組名、テーマ、出演者、番組内容の要約などの放送番組を案内するデータ（番組案内データという）とが含まれる。また、この放送受信装置１は、番組予約情報に基づき放送コンテンツの録画を行うようになっている。この番組予約情報では、放送コンテンツの録画が予約された放送番組が、予約済み番組として指定されている。
【０００９】
放送受信装置１はアンテナ２で受信された放送波を映像信号及び音声信号に変換し、ＴＶモニタ３はこれら映像信号及び音声信号に基づき映像及び音声を出力するようになっている。この放送受信装置１には例えばハードディスクドライブ（ＨＤＤ）やＤＶＤレコーダなどの外部記憶装置４が接続されていて、放送受信装置１はこの外部記憶装置４に放送番組を録画可能なようになっている。加えて、放送受信装置１はユーザが録画を望む放送番組を録画予約することができるようになっており、放送受信装置１は、この録画予約が行われた放送番組である予約済み番組につき、その放送チャンネルにおける放送コンテンツを放送日の開始時刻から終了時刻まで自動的に録画する。ユーザはリモコン５を用いて放送受信装置１を遠隔操作して、放送コンテンツの再生及び録画さらには録画予約を放送受信装置１に行わせることができる。（放送受信装置１が放送コンテンツを再生することによって、ユーザがその再生された放送コンテンツを視聴することができる。）
【００１０】
より詳細には、同図１に示すデジタルチューナー１１は、アンテナ２にて受信される放送波を復調してトランスポートパケット（ＴＳパケット）を出力する。ここで復調される放送波は、ＢＳ放送によるもの、１１０度ＣＳ放送によるもの、及び、地上デジタル放送によるものとしてよい。デジタルチューナー１１はこれらの放送波を適宜選択的に復調してＴＳパケットをＴＳデコーダ１２に出力するようになっている。ＴＳデコーダ１２は、このＴＳパケットから映像データ及び音声データを抽出する。抽出された映像データ及び音声データは、ＭＰＥＧ−２又はＭＰＥＧ−４等によって符号化されているデジタルデータである。映像デコーダ１３はこの符号化された映像データを復号化し、また、音声デコーダ１４は符号化された音声データを復号化する。さらに、ＴＳパケットには番組情報が含まれており、ＴＳデコーダ１２はＴＳパケットから番組情報を抽出する。
【００１１】
表示ユニット１５は、映像デコーダ１３にて復号化された映像データに、ＯＳＤ処理部１６にて生成されるＯＳＤ表示のためのデータを重ね合わせた後、その重ね合わせ後の映像データをテレビ信号に変換してＴＶモニタ３に出力する。このＯＳＤ表示には、番組情報（番組表）の表示が含まれる。音声デコーダ１４にて復号化された音声データは、ＴＶモニタ３に設けられた（図示しない）スピーカから出力される。
【００１２】
システムコントローラ１７は、ユーザによるリモコン５の操作に基づき放送チャンネルを切り替えながら、これら各部１１〜１６の動作を制御するようになっている。加えて、システムコントローラ１７は、ユーザによるリモコン５の操作に基づき放送番組の録画予約の指示を受け付け、録画予約を設定することができるようになっている。ＲＡＭ１８はシステムコントローラの実行するプログラムやこのプログラムにて用いられるデータを一時的に記憶するものであり、ＲＯＭ１９は放送受信装置１の基本機能を実現するためのプログラム、ＯＳＤ表示に用いる文字フォント等を記憶している。内部ＨＤＤ２０は、ＴＳデコーダ１２にて抽出された番組情報、及び、システムコントローラ１７が実行するプログラム等を記憶する。
【００１３】
リモコン５は、そのリモコン５に設けられた操作ボタン５１〜５９（次の図２）に対するユーザの操作に応じて赤外線による操作信号を送信し、リモコン受信部２１は、この操作信号を受信するようになっている。通信インタフェース（Ｉ／Ｆ）部２２は、外部記憶装置４との間で、映像データ及び音声データをやり取りするためのインタフェースである。以上の各部１１〜２２はシステムバス２３により接続されている。
【００１４】
図２は放送受信装置１のリモコン５による操作を説明するためのリモコン５の拡大図である。リモコン５には主に操作ボタン５１〜５９が設けられている。ユーザがこれら操作ボタン５１〜５９のいずれかを押すと、放送受信装置１本体はその押下に応じた動作を行う。操作ボタン５１は放送受信装置１本体の電源をオン及びオフするためのボタンである。操作ボタン５２は番組情報を一覧表形式で番組表上に表示させるためのボタンである。操作ボタン５３は、現在選局されている放送チャンネル（放送局）に対する裏番組の番組表を、番組情報から表示するためのボタンである。操作ボタン５４は録画予約の設定及びその確認を行うためのボタンである。操作ボタン５５〜５８はＴＶモニタ３上にＯＳＤ表示された番組表等において選択項目（カーソル）を上下左右へと移動させるためのボタンである。操作ボタン５９はこのような選択項目を確定するためのボタンである。
【００１５】
放送受信装置１は、放送番組の録画予約の設定に際し表示される番組表において、予約可能番組を表示する点に１つの特徴がある。図３はこの番組表Ｔ１を示す図である。番組表Ｔ１において、放送チャンネルが縦に並ぶ一の項目であり、時間帯が横に並ぶ他の項目である。この番組表Ｔ１において、行の１つとして指定される各放送チャンネルと、列の１つとして指定される各時間帯とに対応する各欄に、各放送番組の番組案内データが表示される。上述のように、この番組案内データは、番組情報の一部であり、放送番組名、テーマ、出演者、番組内容の要約などを含んでいる。
【００１６】
放送受信装置１では、このような番組表Ｔ１において、既に録画予約された放送番組である予約済み番組の番組案内データと、録画予約することが可能な予約可能番組の番組案内データとが表示されるようになっている。同図３では、「ニュースＡ」、「ドラマＡ」及び「映画Ｅ」が予約済み番組であり、番組「ｄ」〜番組「ｈ」及び「映画Ｄ」が予約可能番組である。番組表Ｔ１において、予約済み番組についての番組案内データの表示色は紫色であり、予約可能番組についての番組案内データの表示色は青色である。もちろん、表示される番組案内データの表示色（文字色）ではなく、予約済み番組の欄の背景色を異ならせてもよい。
【００１７】
また、番組表Ｔ１において、予約済み番組でも予約可能番組でもない他の放送番組についての番組案内データはグレーアウト表示されている。このグレーアウト表示は、薄いグレーを、ここにいう他の放送番組の欄の一面に表示するものであり、このグレーアウト表示により、この放送番組が録画予約番組として選択することができないことが示される。予約済み番組でも予約可能番組でもない他の放送番組についての番組案内データを無表示としてもよい。
【００１８】
図４は録画予約の際に表示されるこの番組表Ｔ１の元となった番組情報（番組表）Ｔ０を示している。番組表Ｔ０及び番組表Ｔ１を比較すると、番組表Ｔ１にて予約済み番組として「ニュースＡ」、「ドラマＡ」及び「映画Ｅ」が指定されていること及びこれら予約済み番組の他に予約可能番組が示されていることが確認できる。
【００１９】
このような予約可能番組の表示を伴う録画予約入力処理につきその処理の手順を説明する。図５はこの手順を示すフローチャートである。ユーザにより上述したリモコン５の操作ボタン５４が押されると、システムコントローラ１７は本録画予約入力ルーチンを実行するようになっている。また、内部ＨＤＤ２０が番組情報及び番組予約情報を記憶している。番組情報は所定期間内、例えば１週間内又は１か月内等の各放送番組についての放送日時データを含んでいる。番組予約情報は、予約済み番組を指定するものであり、予約済み番組についての放送日時データを含んでいる。番組情報及び番組予約情報から、現時点より将来に放送される放送番組であって一の予約済み番組と重ならない放送番組（重ならない時間がある放送番組）が、予約可能番組として特定される。
【００２０】
まず、ステップ１（以下、ステップをＳと略す）において、ユーザによる録画期間及び予約時間帯の入力が所定の入力画面上で受け付けられる。すなわち、ユーザが、例えば、現時点から１週間内若しくは１か月内の毎日、現時点から毎週、又は、現時点から１か月ごと等といった録画期間を入力するように、続いて、朝、昼、夕のいずれか、又は、０：００〜４：００、４：００〜８：００、８：００〜１２：００、１２：００〜１６：００、１６：００〜２０：００、２０：００〜０：００のいずれか等といった予約時間帯を入力するように、この入力画面が構成されている。もちろん、ユーザが任意の録画期間及び任意の予約時間帯を入力するようになっていてよく、また、ユーザの入力によらず、この予約時間帯に、現時点から直近の時間帯を設定するようにしてもよい。これらの録画期間及び予約時間帯がユーザの所望の予約期間として指定される。
【００２１】
Ｓ２では、番組予約情報に含まれる予約済み番組についての放送日時データに基づき、Ｓ１で指定された録画期間及び予約時間帯の内（予約期間の内）において、現時点より将来の時間であって一の予約済み番組と重ならない時間を、空き時間として特定する。すなわち、番組予約情報中の各予約済み番組の放送日時データが（内部ＨＤＤ２０からＲＡＭ１８上へと）読み出され、その録画期間の予約時間帯から、放送日時データにより指定される放送日の放送時間帯が除外されることにより、録画期間及び予約時間帯における空き時間、つまり空き時間がある日、空き時間の開始時刻及び終了時間等が特定される。
【００２２】
そして、Ｓ３において、番組情報中の各放送番組についての放送日時データに基づいて、Ｓ１にて特定された空き時間の内に含まれる放送番組を、予約可能番組（第１予約可能番組）として特定する。すなわち、まず、番組情報中の各放送番組の放送日時データが読み出される。次に、各放送番組の放送日が、空き時間がある日に含まれるか、さらに、放送日が、空き時間がある日に含まれる場合に、その放送番組の開始時刻から終了時刻までの時間が、空き時間の開始時刻から終了時刻までの時間に含まれるか等が判定される。これらの判定結果から、空き時間内にある放送番組が特定される。
【００２３】
続いて、Ｓ４にて、これら予約済み番組及び予約可能番組を示す番組表Ｔ１（図３）を表示し、さらに、Ｓ５において、この番組表Ｔ１に表示されている予約可能番組の番組情報（番組案内データ）に対し、ユーザから録画予約のための指示の入力を受け付ける。図６は録画予約入力処理に伴い表示される番組表Ｔ１を示す図である。図６（ａ）に示す番組表Ｔ１は、ユーザに対して録画予約の設定を促している。ユーザはリモコン５の操作ボタン５５〜５８を選択的に押すことにより、カーソル表示Ｃ１を上下左右へと移動させる。なお、この番組表Ｔ１上において、カーソル表示Ｃ１が予約可能番組のみの上で移動するように、そのカーソル表示Ｃ１の移動を制限してもよい。
【００２４】
そして、ユーザは、録画予約を望む放送番組にカーソル表示Ｃ１が重なった状態で（図６（ｂ））、操作ボタン５９を押すことにより、このカーソル表示Ｃ１が重なった放送番組に対する録画予約を確定する。例えば、カーソル表示Ｃ１を、各放送番組に対応する各欄の背景の薄緑色による塗りつぶしとして表すことができる。また、録画予約の確定により、その放送番組についての番組案内データの表示色が青色から紫色に変更されるようになっていてよい。これらＳ５における録画予約入力までの一連の処理によると、従来と異なり特に予約可能番組が表示されているから、ユーザは、ある放送番組を予約することができるか否かにつき、より迅速により的確に判断することができる。
【００２５】
続くＳ６において、システムコントローラ１７は、操作ボタン５９が押されることにより新たな録画予約が確定したか否かを判定する。新たな録画予約が確定すると（Ｓ６にてＹＥＳのとき）、Ｓ７にて、録画予約の確定に応じ、その放送番組（予約可能番組）が予約済み番組として設定されるように番組予約情報を更新する。その後、Ｓ８において、現在表示されている番組表Ｔ１上に空き時間があるか否かが判定される。空き時間があれば（Ｓ８にてＹＥＳのとき）、Ｓ４へと戻って、番組表Ｔ１の表示から処理を継続する。先に実行したＳ５にて、予約可能番組の１つが予約済み番組となるように設定されている場合、Ｓ４で新たに表示される番組表Ｔ１では、この新たな予約済み番組の設定をユーザは確認することができる。
【００２６】
空き時間がなければ（Ｓ８にてＮＯのとき）、Ｓ９にて、番組表Ｔ１において表示される放送番組の予約時間帯が更新される。例えば、２０：００〜０：００となっていた予約時間帯が、０：００〜４：００となるように更新される（図６（ｃ））。この後、Ｓ２へと戻って、空き時間の特定から処理が継続される。
【００２７】
また、番組表Ｔ１の表示に対して、新たな録画予約が確定していなければ（Ｓ６にてＮＯのとき）、さらに、Ｓ１０にて、操作ボタン５４が押されること等により録画予約の終了が指示されたか否かが判定される。録画予約の終了が指示されなければ（Ｓ１０にてＮＯのとき）、Ｓ５へと戻って、録画予約の入力の受付から処理が継続される。録画予約の終了が指示されれば（Ｓ１０にてＹＥＳのとき）、Ｓ１１に進んで、本録画予約入力処理は終了する。
【００２８】
以上のように、Ｓ４における番組表Ｔ１の表示によると、ユーザに対して、現時点より後に放送されるある放送番組を予約できるか否かにつきより迅速でより的確な判断が促されることになる。例えば予約済み番組とこれに近接した時間帯に放送される放送番組との間の時間差が５分前後と極めて小さい場合にも、ユーザに対して明確にわかりやすくその放送番組が予約可能であるか否かを伝えることができる。従来、予約済み番組についての表示は行われていたが、本放送受信装置によるような予約可能番組の表示は行われていなかった。本放送受信装置における予約可能番組の表示によって、ユーザは、その録画予約を望む放送番組につき、その録画予約の機会を逃すことなく、確実に録画予約を設定することができる。
【００２９】
（第２の実施の形態）
次に、本発明に係る第２の実施の形態である放送受信装置を説明する。本実施の形態では、録画予約の入力を受け付ける番組表上にて放送チャンネルの表示順序がユーザが見やすくなるように並べ替えられている（ソートされている）点が、第１の実施の形態と異なる。図７はこの放送チャンネルの順序が並べ替えられた後の番組表Ｔ２を示す図である。この番組表Ｔ２の表示に係りここで説明する放送受信装置の構成及び作用効果以外の放送受信装置の構成及び作用効果については上記第１の実施の形態に準ずる。
【００３０】
放送受信装置は同図７の番組表Ｔ２のように予約済み番組と予約可能番組とを表示する。ここでは、特に、予約済み番組及び予約可能番組がそれぞれまとまった位置に表示されるように、放送チャンネルの上下への表示順序が設定されている。つまり、図４に示す番組情報を示す番組表Ｔ０では、放送チャンネルはそのチャンネル数の順に並んでいる。これに対して、番組表Ｔ２においては、放送チャンネルの上下への表示順序が並べ替えられており、この並べ替えによって、予約済み番組である「ニュースＡ」、「映画Ｅ」及び「ドラマＡ」の番組案内データがまとまった位置（上下に連続した位置）に配置されている。また、その並べ替えによって、予約可能番組である番組「ｄ」〜番組「ｈ」及び「映画Ｄ」のうちの、番組「ｅ」〜番組「ｈ」及び「映画Ｄ」の番組案内データがまとまった位置に配置されている。ここで、予約可能番組の表示が予約済み番組の表示よりも優先されるように、表示についての優先度を設定すれば、番組「ｄ」〜番組「ｈ」及び「映画Ｄ」の番組案内データをまとまった一群として表示することもできる。
【００３１】
このような並べ替え後の予約可能番組の表示を伴う録画予約入力処理につきその処理の手順を説明する。図８はこの手順を示すフローチャートである。システムコントローラ１７はこのフローチャートに示す録画予約入力処理ルーチンを実行するようになっている。同図８に示すルーチンにおいては、図５に示したルーチン中のＳ３とＳ４との間にＳ２１が挿入されている。このＳ２１では、上述のように放送チャンネルが配置されるように、放送チャンネルの表示順序を設定するようになっている。これにより、Ｓ４において上記のような番組表Ｔ２の表示が可能となる。
【００３２】
この放送受信装置によると、番組表Ｔ２にて予約可能番組（予約可能番組を含む放送チャンネル）はまとまった位置に表示されるから、ユーザに対して、現時点より後に放送される放送番組を予約可能か否かにつき、第１の実施の形態における番組表Ｔ１によるよりも迅速で的確な判断を促すことができることになる。ユーザは、録画予約を望む放送番組につき確実に録画予約を設定することができる。
【００３３】
（第３の実施の形態）
本発明に係る第３の実施の形態である放送受信装置を説明する。本実施の形態では、予約可能番組に加えて予約許容番組（第２予約可能番組）を表示する点が、第１の実施の形態と異なる。予約許容番組とは、予約可能番組ではあるが、既に録画予約されている他の予約済み番組との間で開始側又は終了側の一部の時間が重なるものをいう。他の予約済み番組との間のこの重なりの時間内では、後に予約を確定することになる予約許容番組が優先して録画されるようになっている。図９はこの予約許容番組の表示を伴う番組表Ｔ３を示す図である。この番組表Ｔ３の表示に係る放送受信装置の構成及び作用効果以外の放送受信装置の構成および作用効果については上記第１の実施の形態に準ずる。
【００３４】
放送受信装置は予約済み番組及び予約可能番組に加えて予約許容番組を番組表Ｔ３において表示する。すなわち、同図９に示す番組表Ｔ３にて、予約済み番組である「ニュースＡ」、「ドラマＡ」及び「映画Ｅ」の番組案内データ、及び、予約可能番組である番組「ｇ」、番組「ｅ」及び「映画Ｄ」の番組案内データに加えて、予約許容番組である「ドラマＢ」、「スポーツＡ」、「ドラマＣ」及び「バラエティＡ」の番組案内データが表示されている。ここでは、空き時間の開始時刻を所定の重なり許容時間分だけ、例えば５分だけ早めた時刻から、この空き時間の終了時刻をその重なり許容時間分だけ遅らせた時刻までの修正後の空き時間を重なり許容空き時間とする。予約許容番組は、この重なり許容空き時間の内に含まれる放送番組である。例えば、予約済み番組の番組案内データの表示色を紫色とし、予約可能番組の番組案内データの表示色を青色とし、さらに予約許容番組の番組案内データの表示色を黄色とする。さらに、表示色を変えることなくまた変えるとともに、例えば、予約可能番組の番組案内データを点滅させ、これよりもゆっくりとした点滅間隔で予約許容番組の番組案内データを点滅させるといったようにして、番組表Ｔ３上における番組案内データの表示の形態を異ならせてもよい。
【００３５】
このような予約許容番組の表示を伴う録画予約入力処理につきその処理の手順を説明する。図１０はこの手順を示すフローチャートである。システムコントローラ１７が実行するこの図１０に示すルーチンにおいては、図５に示したルーチン中のＳ３とＳ４との間にＳ３１が挿入されている。このＳ３１において、番組情報に含まれる各放送番組についての放送日時データに基づいて、上記重なり許容空き時間の内に含まれる放送番組を、上記予約許容番組として特定するようになっている。これにより、Ｓ４において上記のような番組表Ｔ３の表示が可能となる。
【００３６】
この放送受信装置によると、既に録画予約が設定されている予約済み番組に、開始側又は終了側の一部の時間が重なる放送番組が予約許容番組として表示される。これによって、より柔軟にユーザの録画予約についての要望に応えながら、ユーザに対し、ユーザが録画予約を望む放送番組につき、迅速且つ確実な録画予約の設定を促すことができる。
【００３７】
（第４の実施の形態）
さらに、本発明に係る第４の実施の形態である放送受信装置を説明する。本実施の形態では、録画予約の入力を受け付ける番組表上にて、予約可能番組に加えて予約許容番組を表示し且つ放送チャンネルの表示順序が並べ替えられている点が、第１の実施の形態にと異なる。つまり、本実施の形態においては、第１の実施の形態に、第３の実施の形態の特徴及び第２の実施の形態の特徴が加えられている。図１１は番組表Ｔ４を示す図である。この番組表Ｔ４において、予約可能番組に加えて予約許容番組が表示されており、且つ放送チャンネルの表示順序が並べ替えられている。番組表Ｔ４の表示に係る放送受信装置の構成及び作用効果以外の放送受信装置の構成及び作用効果については第１の実施の形態に準ずる。
【００３８】
放送受信装置は同図１１の番組表Ｔ４のように予約済み番組と予約可能番組と予約許容番組とをそれぞれまとまった位置に表示する。すなわち、番組表Ｔ４にて、一群の予約済み番組となる「ニュースＡ」、「映画Ｅ」及び「ドラマＡ」の番組案内データ、一群の予約可能番組となる番組「ｅ」、番組「ｇ」及び「映画Ｄ」の番組案内データ、並びに、一群の予約許容番組となる「ドラマＣ」及び「スポーツＡ」の番組案内データがまとまった位置に配置されるようになっている。ここでは、表示についての優先度が、予約済み番組、予約可能番組、予約許容番組の順に低くなっていくものとしたため、予約許容番組のまとまりが、「ドラマＢ」及び「バラエティＡ」からなる一群と、「ドラマＣ」及び「スポーツＡ」からなる一群とに上下に分断されている。当然ながら、予約可能番組の表示又は予約許容番組の表示についての優先度を最高位に設定すれば、予約可能番組又は予約許容番組をそれぞれまとまった一群として表示することもできる。その優先度をユーザに入力させるようになっていてもよい。
【００３９】
このような並べ替え後の予約可能番組及び予約許容番組の表示を伴う録画予約入力処理につきその処理の手順を説明する。図１２はこの手順を示すフローチャートである。システムコントローラ１７が実行するこの図１２に示す録画予約入力ルーチンでは、図５に示したルーチン中のＳ３とＳ４との間にＳ４１及びＳ４２が挿入されている。Ｓ４１において、番組情報に含まれる各放送番組についての放送日時データに基づき、重なり許容空き時間の内に含まれる放送番組を予約許容番組として特定するようになっている。また、Ｓ４２において、上述のように放送チャンネルが配置されるように、放送チャンネルの表示順序を設定するようになっている。これにより、続くＳ４において、上述のような番組表Ｔ４の表示が可能となる。
【００４０】
この放送受信装置によると、予約許容番組を表示することによって、より柔軟にユーザの録画予約についての要望に応えながら、予約可能番組及び予約許容番組をそれぞれまとまった位置に表示することによって、ユーザに対して、現時点より後に放送される放送番組を予約可能か否かにつき、より迅速でより的確な判断を促すことができる。ユーザは確実に録画予約を行うことができる。
【００４１】
（他の実施の形態等）
以上、具体的な実施の形態によって本発明を説明したが、本発明は、上記実施の形態に限定されず、本発明の要旨を逸脱しない範囲で変更して実施することができる。
（Ａ）例えば、第１の実施の形態の図３に示す番組表Ｔ１において、番組案内データの表示色を異ならせることにより、予約済み番組と予約可能番組との表示の形態を異ならせていた。これに代えて、番組案内データを斜字体又は太字で表すことにより、また番組案内データを文字の大きさを変えつつ表すことにより、予約済み番組と予約可能番組と予約許容番組との表示の形態を異ならせてもよい。さらに番組案内データの明朝体、ゴシック体といった文字のフォントを変える等することにより、それらの表示の形態を異ならせることもできる。
【００４２】
図１３はこれら表示の形態の例を示す図である。ここでは、予約済み番組と予約可能番組と予約許容番組との間で表示色を変化させないことを前提としているが、それらの表示色を変化させてもよい。同図１３（ａ）において、予約済み番組である「ニュースＡ」、「ドラマＡ」及び「映画Ｅ」の番組案内データは通常の字体で表されている。一方、予約可能番組である番組「ｇ」、番組「ｅ」及び「映画Ｄ」の番組案内データはその全部又は一部（例えば放送番組名等）が斜字体で表されており、また、予約許容番組である「ドラマＢ」、「スポーツＡ」、「ドラマＣ」及び「バラエティＡ」の番組案内データはその全部又は一部が太字で表されている。また、同図１３（ｂ）において、予約済み番組の番組案内データはその文字の大きさが小さく、予約可能番組の番組案内データはその文字の大きさが大きく、予約許容番組の番組案内データはその文字の大きさがこれらの間程度に設定されている。
【００４３】
（Ｂ）上記各実施の形態では、放送受信装置は、録画予約（放送による映像及び音声の記録の予約）が可能なものとしたが、同様に視聴予約（放送による映像及び音声の再生の予約）が可能なものとしてもよい。
【００４４】
（Ｃ）上記各実施の形態において、各放送番組の番組案内データの表示は番組表によるものとし、その番組表Ｔ１（図３）等では、縦に並ぶ一の項目として放送チャンネルを用い、横に並ぶ一の項目として時間帯を用いた。このような予約可能番組についての、番組案内データの少なくとも一部を含む番組情報の表示を、予約可能番組のラインナップ表示により行うこともできる。すなわち、この放送受信装置は、番組情報に基づいて、１つの予約可能番組についての放送日時データ及び番組案内データを１つの横方向へのライン上に表示することとし、さらに複数の予約可能番組についてこれら放送日時データ及び番組案内データを縦方向に並べるようになっている。
【００４５】
図１４は視聴予約についての予約可能番組のラインナップ表示Ｌを示す図である。ユーザが例えば予約期間を「2006/2/3 PM9:58〜PM11:00」と入力すると、同図１４に示すラインナップ表示Ｌが表示される。この処理は、図５、図８、図１０、図１２等に示す録画予約入力処理と同様の視聴予約入力処理により行われ、Ｓ４において、番組表の表示に代えて予約可能番組（及び予約許容番組）のラインナップ表示Ｌが行われる。このラインナップ表示Ｌに対してユーザはカーソル表示Ｃ２をリモコン５の操作ボタン５５，５６を用いて上下させ、視聴予約を望む放送番組にカーソル表示Ｃ２を重ねた状態で操作ボタン５９を押すことによりその放送番組に対する視聴予約を確定する。ここでは録画予約情報に代えて、視聴予約済みの放送番組の放送日時データを含んだ視聴予約情報が用いられる。
【００４６】
（Ｄ）上記各実施の形態では、放送受信装置は、重なりが許容された予約許容番組を、その重なりがある先に予約された予約済み番組より優先して録画することを想定した。これに代えて、放送受信装置は、予約済み番組を予約許容番組に優先して録画してもよい。さらに、どちらを優先して録画するかをユーザに選択させるものとしてもよく、加えて、この際に選択されなかった一方の放送番組につきその録画予約をキャンセルするようにしてもよい。
【００４７】
（Ｅ）また、上記各実施の形態では、各放送番組についての番組情報中の番組案内データとして、放送番組名、テーマ、出演者、番組内容の要約などが含まれることを想定した。この番組案内データに、映画、ドラマ、ニュース、バラエティなどの番組情報のジャンルが含まれるものとして、このジャンルについてのデータを用いるものとしてよい。すなわち、この場合、所定の入力画面を用いてユーザに特定のジャンルを予め指定させておきこれを内部ＨＤＤ２０等に記憶しておく。そして、録画予約等のための番組表の表示に際して、各放送番組についての番組案内データ中のジャンルについてのデータを用いて、その予め指定されたジャンルに合致する放送番組のみを予約可能番組として表示する。
【００４８】
（Ｆ）上記各実施の形態では、放送コンテンツは映像及び音声からなるものとした。これとは異なり、放送コンテンツが映像、音声及び文字データの１つのみからなっていてもよい。
【００４９】
（Ｇ）また、上記各実施の形態では、放送受信装置は、特定された予約可能番組を表示して、ユーザによる予約の指示を受け付け、ユーザの手動による予約指示の入力により、予約指示の対象となった予約可能番組が予約済み番組に設定されるように番組予約情報を更新した。これとは異なり、例えば、特定された予約可能番組が、予め指定された予約期間及び予め指定されたジャンルに合致する場合に、その予約可能番組が、自動的に、予約済み番組として設定されるように番組予約情報を更新してもよい。
【００５０】
（Ｈ）上記第３の実施の形態及び上記第４の実施の形態において、重なり許容時間は、５分といったデフォルト値が予め固定的に設定されていることを想定した。これと異なり、この重なり許容時間をユーザがリモコン５等により入力するものとしてもよい。ユーザが入力する場合、重なり許容時間を任意に指定できるようになっていてもよく、また、１分、３分、５分、１０分及び１５分のいずれかを選択的に指定できるようになっていてもよい。重なり許容時間は、これらの時間よりも大きな３０分、１時間、…、といった時間でもよく、加えて、予約許容番組となる番組の５％、１０％、１５％、…、或いはそれ以上１００％近くまでといったような比率を、ユーザが選択的に設定するものでもよい。
【００５１】
（Ｉ）また、一の重なり許容時間を入力して、開始側の重なりと終了側の重なりとについて同一の値の重なり許容時間を用いることを想定した。この開始側の重なり許容時間と、終了側の重なり許容時間とを別々に異なる値に設定するようになっていてもよい。すなわち、特定された空き時間の開始側を所定の第１重なり許容時間分だけ早めた開始時刻、及び、その空き時間の終了側を所定の第２重なり許容時間分だけ遅らせた終了時刻を有する時間を、重なり許容空き時間として特定することができる。さらに、開始側の重なりを許容した第１予約許容番組の番組案内データと、終了側の重なりを許容した第２予約許容番組の番組案内データとを異なる形態で表示してもよい。開始側のみ又は終了側のみに重なりを許容するものとしてもよい。
【図面の簡単な説明】
【００５２】
【図１】本発明に係る第１の実施の形態である放送受信装置の主要な構成を示すブロック図である。
【図２】放送受信装置のリモコンによる操作を説明するためのリモコンの拡大図である。
【図３】放送番組の録画予約の設定に際して表示される番組表を示す図である。
【図４】番組表の元となった番組情報を示す図である。
【図５】録画予約入力処理の手順を示すフローチャートである。
【図６】録画予約入力処理に伴い表示される番組表を示す図である。
【図７】第２の実施の形態の放送受信装置にて表示される番組表を示す図である。
【図８】第２の実施の形態における録画予約入力処理の手順を示すフローチャートである。
【図９】第３の実施の形態の放送受信装置にて表示される番組表を示す図である。
【図１０】第３の実施の形態における録画予約入力処理の手順を示すフローチャートである。
【図１１】第４の実施の形態の放送受信装置にて表示される番組表を示す図である。
【図１２】第４の実施の形態における録画予約入力処理の手順を示すフローチャートである。
【図１３】他の実施の形態における番組表の表示例を示す図である。
【図１４】番組表に代えて表示されるラインナップ表示を示す図である。
【符号の説明】
【００５３】
１………放送受信装置
２………アンテナ
３………ＴＶモニタ（予約可能番組表示手段）
４………外部記憶装置
５………リモコン（予約指示手段、予約期間入力手段）
１５……表示ユニット
１６……ＯＳＤ処理部
１７……システムコントローラ（実行プログラムとともに、予約可能番組特定手段、番組予約情報更新手段、表示位置設定手段）
１８……ＲＡＭ
１９……ＲＯＭ
２０……内部ＨＤＤ（番組予約情報記憶手段）
２１……リモコン受信部
【図１】
2008236478.tif 000003
【図２】
2008236478.tif 000004
【図３】
2008236478.tif 000005
【図４】
2008236478.tif 000006
【図５】
2008236478.tif 000007
【図６】
2008236478.tif 000008
【図７】
2008236478.tif 000009
【図８】
2008236478.tif 000010
【図９】
2008236478.tif 000011
【図１０】
2008236478.tif 000012
【図１１】
2008236478.tif 000013
【図１２】
2008236478.tif 000014
【図１３】
2008236478.tif 000015
【図１４】
2008236478.tif 000016